(57)【要約】【課題】      本発明は、特に貴重印刷物の下地の地紋模様等に適する偽造防止印刷物に関するものである。【解決手段】    基材上に線形状から成る地紋模様が形成され、地紋模様は、第１の領域及び第２の領域から成り、地紋模様は、有彩色の赤外線透過インキで印刷される第１の画線と、第２の画線から成り、第２の画線は、第１の領域に形成される赤外線透過インキで印刷される第２ａの画線及び第２の領域に形成される赤外線吸収インキで印刷される第２ｂの画線から成り、第２ａの画線の赤外線透過インキで印刷される領域は第１の領域に形成され、第２ｂの画線の赤外線吸収インキで印刷される領域は第２の領域に形成され、第１の画線と第２の画線は重畳して形成される。【選択図】  図１
2008105241.tif 000002
【特許請求の範囲】
【請求項１】
基材上に線形状から成る地紋模様が形成され、前記地紋模様は、第１の領域及び第２の領域から成り、前記地紋模様は、有彩色の赤外線透過インキで印刷される第１の画線と、第２の画線から成り、前記第２の画線は、前記第１の領域に形成される赤外線透過インキで印刷される第２ａの画線及び前記第２の領域に形成される赤外線吸収インキで印刷される第２ｂの画線から成り、前記第２ａの画線の赤外線透過インキで印刷される領域は第１の領域に形成され、前記第２ｂの画線の赤外線吸収インキで印刷される領域は第２の領域に形成され、前記第１の画線と前記第２の画線は重畳して形成されることを特徴とする偽造防止印刷物。
【請求項２】
基材上に線形状から成る地紋模様が形成され、前記地紋模様は、第１の領域及び第２の領域から成り、前記地紋模様は、有彩色の赤外線透過インキで印刷される少なくとも二本の等間隔に並んだ第１の画線と、第２の画線から成り、前記第２の画線は、前記第１の領域に形成される赤外線透過インキで印刷される第２ａの画線及び前記第２の領域に形成される赤外線吸収インキで印刷される第２ｂの画線から成り、前記第２ａの画線の赤外線透過インキで印刷される領域は第１の領域に形成され、前記第２ｂの画線の赤外線吸収インキで印刷される領域は第２の領域に形成され、前記第２の画線は、前記第１の画線に挟まれて形成されることを特徴とする偽造防止印刷物。
【請求項３】
基材上に線形状から成る地紋模様が形成され、前記地紋模様は、第１の領域及び第２の領域から成り、前記地紋模様は、有彩色の赤外線透過インキで印刷される第１の画線と、第２の画線から成り、前記第２の画線は、前記第１の領域に形成される赤外線透過インキで印刷される第２ａの画線及び前記第２の領域に形成される赤外線吸収インキで印刷される第２ｂの画線から成り、前記第２ａの画線の赤外線透過インキで印刷される領域は第１の領域に形成され、前記第２ｂの画線の赤外線吸収インキで印刷される領域は第２の領域に形成され、前記第１の画線は、前記第２の画線に隣接又は近接して形成されることを特徴とする偽造防止印刷物。
【請求項４】
基材上に線形状から成る地紋模様が形成され、前記地紋模様は、第１の領域及び第２の領域から成り、前記地紋模様は、有彩色の赤外線透過インキで印刷される第１の画線と、少なくとも二本の等間隔に並んだ第２の画線から成り、前記第２の画線は、前記第１の領域に形成される赤外線透過インキで印刷される第２ａの画線及び前記第２の領域に形成される赤外線吸収インキで印刷される第２ｂの画線から成り、前記第２ａの画線の赤外線透過インキで印刷される領域は第１の領域に形成され、前記第２ｂの画線の赤外線吸収インキで印刷される領域は第２の領域に形成され、前記第１の画線は、前記第２の画線に挟まれて形成されることを特徴とする偽造防止印刷物。
【請求項５】
前記有彩色の赤外線透過インキで印刷される第１の画線は、シアンインキ、マゼンタインキ及びイエローインキのいずれか一色以上のインキで形成され、前記第１の領域の前記第２ａの画線と前記第２の領域の前記第２ｂの画線は、同色系のインキで形成されることを特徴とする請求項１、２、３又は４記載の偽造防止印刷物。
【請求項６】
前記有彩色の赤外線透過インキで印刷される第１の画線は、淡色インキであることを特徴とする請求項１、２、３、４又は５記載の偽造防止印刷物。
【請求項７】
前記淡色インキのＣＩＥＬＡＢ明度Ｌ＊は、６５〜９０であることを特徴とする請求項６記載の偽造防止印刷物。
【発明の詳細な説明】
【技術分野】
【０００１】
本発明は、銀行券、株券、有価証券、通行券、パスポート、商品券又はカード等の偽造防止をする必要性のある貴重印刷物に適用され、特に貴重印刷物の下地の地紋模様等に適する偽造防止印刷物に関するものである。
【背景技術】
【０００２】
銀行券、株券、有価証券、通行券、パスポート、商品券又はカード等の貴重印刷物は、その性質上、偽造や改ざんをされないことが要求される。これら貴重印刷物の偽造や改ざん防止策は、例えば、幾何学模様を多様化したデザインを地紋模様として用いる方法がある。また、赤外線吸収特性の異なる二種類の印刷インキによって印刷模様を形成し、赤外線カメラで赤外線吸収インキにより印刷した領域が確認できる技術がある。
【０００３】
幾何学模様を多様化したデザインを地紋模様として用いる方法は、商品券及び証明書類等に採用されており、地紋模様上に濃色インキ等の色彩で付与されるサイン、額面及び文書等が印刷されている。地紋印刷を濃色で印刷した場合は、地紋模様上に濃色インキ等の色彩でサイン、額面及び文書等が確認し難くなる問題が生じる。よって、地紋模様は、地紋模様上に濃色インキ等の色彩で付与されるサイン、額面及び文書等が目立つように淡色で印刷することが求められている。
【０００４】
赤外線吸収特性の異なる二種類の印刷インキによって印刷模様を形成する技術として、例えば、赤外線センサにより検出される印刷領域を施された印刷物であって、印刷物には赤外線吸収特性の異なる印刷インキによって印刷領域が形成されていることを特徴とする赤外線吸収印刷物が開示されている（例えば、特許文献１）。
【０００５】
また、赤外線吸収特性の異なる二種類の印刷インキによって彩紋模様を形成する技術として、コート紙に彩紋印刷で図柄を形成する印刷物であって、彩紋印刷は第１の領域と第２の領域を有し、第１の領域はカーボンブラックを使用した墨インキで、第２の領域はシアンインキ、イエローインキ及びマゼンタインキを混合した墨インキを使用して形成され、通常光の下では同色に視認されるが、赤外線表示装置で観察すると、第２の領域の彩紋印刷は確認されることなく、第１の領域の彩紋印刷のみが確認される技術が開示されている（特許文献２）。
【０００６】
【特許文献１】特開昭６３−３０７９９６号公報（第１−１２頁、第１−５図）
【特許文献２】特開２００３−３０２５１９号公報（第６頁、第７図）
【０００７】
しかしながら、特開昭６３−３０７９９６号公報は、特殊な顔料を用いて赤外線吸収インキを作製する必要があった。特開２００３−１３３９５号公報の第６ページには、彩紋模様の第１の領域は黒色顔料にカーボンブラックを使用した墨インキで、彩紋模様の第２の領域はシアンインキ、イエローインキ及びマゼンタインキを混合した黒色系の色彩を使用することで簡易的に赤外線吸収印刷物を形成しているが、可視光下で確認できる色彩は黒系色であるため、地紋模様に採用した場合、地紋模様上に、地紋模様と同系色の濃色インキ等の色彩で付与されるサイン、額面及び文書等が確認し難くなる問題があった。
【発明の開示】
【発明が解決しようとする課題】
【０００８】
本発明は、前述した問題点を解決することを目的としたもので、地紋模様内に赤外線表示装置で確認可能な潜像画像を埋め込むことが可能であり、地紋模様は、地紋模様上に濃色インキ等の色彩で付与されるサイン、額面及び文書等が目立つように淡色をベースに印刷することが可能であり、シアンインキ、イエローインキ、マゼンタインキ及び墨インキの簡易的なインキであっても作製可能な偽造防止印刷物を提案するものである。
【課題を解決するための手段】
【０００９】
本発明は、基材上に線形状から成る地紋模様が形成され、地紋模様は、第１の領域及び第２の領域から成り、地紋模様は有彩色の赤外線透過インキで印刷される第１の画線と、第２の画線から成り、第２の画線は、第１の領域に形成される赤外線透過インキで印刷される第２ａの画線及び第２の領域に形成される赤外線吸収インキで印刷される第２ｂの画線から成り、第２ａの画線の赤外線透過インキで印刷される領域は第１の領域に形成され、第２ｂの画線の赤外線吸収インキで印刷される領域は第２の領域に形成され、第１の画線と第２の画線は重畳して形成されることを特徴とする偽造防止印刷物である。
【００１０】
また、本発明は、基材上に線形状から成る地紋模様が形成され、地紋模様は、第１の領域及び第２の領域から成り、前記地紋模様は、有彩色の赤外線透過インキで印刷される少なくとも二本の等間隔に並んだ第１の画線と、第２の画線から成り、第２の画線は、第１の領域に形成される赤外線透過インキで印刷される第２ａの画線及び第２の領域に形成される赤外線吸収インキで印刷される第２ｂの画線から成り、第２ａの画線の赤外線透過インキで印刷される領域は第１の領域に形成され、第２ｂの画線の赤外線吸収インキで印刷される領域は第２の領域に形成され、第２の画線は、第１の画線に挟まれて形成されることを特徴とする偽造防止印刷物である。
【００１１】
また、本発明は、基材上に線形状から成る地紋模様が形成され、地紋模様は、第１の領域及び第２の領域から成り、地紋模様は、有彩色の赤外線透過インキで印刷される第１の画線と、第２の画線から成り、第２の画線は、第１の領域に形成される赤外線透過インキで印刷される第２ａの画線及び第２の領域に形成される赤外線吸収インキで印刷される第２ｂの画線から成り、第２ａの画線の赤外線透過インキで印刷される領域は第１の領域に形成され、第２ｂの画線の赤外線吸収インキで印刷される領域は第２の領域に形成され、第１の画線は、第２の画線に隣接又は近接して形成されることを特徴とする偽造防止印刷物である。
【００１２】
また、本発明は、基材上に線形状から成る地紋模様が形成され、地紋模様は、第１の領域及び第２の領域から成り、地紋模様は、有彩色の赤外線透過インキで印刷される第１の画線と、少なくとも二本の等間隔に並んだ第２の画線から成り、第２の画線は、第１の領域に形成される赤外線透過インキで印刷される第２ａの画線及び前記第２の領域に形成される赤外線吸収インキで印刷される第２ｂの画線から成り、第２ａの画線の赤外線透過インキで印刷される領域は第１の領域に形成され、第２ｂの画線の赤外線吸収インキで印刷される領域は第２の領域に形成され、第１の画線は、第２の画線に挟まれて形成されることを特徴とする偽造防止印刷物である。
【００１３】
また、本発明は、有彩色の赤外線透過インキで印刷される第１の画線は、シアンインキ、マゼンタインキ及びイエローインキのいずれか一色以上のインキで形成され、第１の領域の第２ａの画線と第２の領域の第２ｂの画線は、同色系のインキで形成されることを特徴とする偽造防止印刷物である。
【００１４】
また、本発明は、有彩色の赤外線透過インキで印刷される第１の画線は、淡色インキであることを特徴とする偽造防止印刷物である。
【００１５】
また、本発明は、淡色インキのＣＩＥＬＡＢ明度Ｌ＊は、６５〜９０であることを特徴とする偽造防止印刷物である。
【発明の効果】
【００１６】
赤外線表示装置で確認可能な潜像画像を地紋摸様内に埋め込むことが可能であり、潜像画像が確認できるか否かにより真偽判別を行うことができる。
【００１７】
地紋模様は、淡色をベースに印刷することが可能であるため、地紋模様上に印刷される濃色インキ等の色彩で付与されるサイン、額面及び文書等が容易に確認できる。
【００１８】
また、シアンインキ、イエローインキ、マゼンタインキ及び墨インキの簡易的なインキで作製可能あるため、低コストである。
【発明を実施するための最良の形態】
【００１９】
本発明を実施するための最良の形態は、図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００２０】
本発明の偽造防止印刷物に形成される地紋模様は線形状から成る。
【００２１】
図１に偽造防止印刷物Ａ１を示す。偽造防止印刷物Ａ１は、基材１上に曲万線画線３から成る地紋模様２が形成される。図１では曲万線画線３のみで形成されているが、直線万線画線、曲万線画線、ジグザグ画線、彩紋模様及び幾何学模様状の画線の少なくとも一つで形成することができる。地紋模様２は、第１の領域４及び第２の領域５に分けられる。第１の領域４は赤外線表示装置で観察した場合に画像が表示されない背景画像部であり、第２の領域５は赤外線表示装置で観察した場合に画像が表示される潜像画像部である。本発明はこれに限定されることなく、第１の領域４は赤外線表示装置で観察した場合に画像が表示される潜像画像部であり、第２の領域５は赤外線表示装置で観察した場合に画像が表示されない背景画像部であっても良い。図１は本発明を説明するために点線を用いて領域分けを図示するが、実際の偽造防止印刷物において点線は印刷されるものではない。地紋模様２は、有彩色の赤外線透過インキで印刷される第１の画線６と、赤外線透過インキで印刷される領域及び赤外線吸収インキで印刷される領域から成る第２の画線７によって形成される。第２の画線７の赤外線透過インキで印刷される領域は第１の領域４に形成され、第２の画線７の赤外線吸収インキで印刷される領域は第２の領域５に形成される。第１の領域４に形成される第２の画線７は、第２ａの画線７ａとし、第２の領域５に形成される第２の画線７は、第２ｂの画線７ｂとする。第２ａの画線７ａと第２ｂの画線７ｂは、図１では画線幅が異なるが同一又はほぼ同一（互いの画線幅の差があったとしても２０μｍ程度）である必要がある。第２ａの画線７ａと第２ｂの画線７ｂは、連続線となっている。ただし、第２ａの画線７ａと第２ｂの画線７ｂは、印刷の刷り合わせ上、若干、間が開いていても良い。
【００２２】
図１では、第２の画線７は、二本の等間隔に並んだ第１の画線６に挟まれて形成されている。よって、第１の画線６と第２の画線７の画線の本数の関係は、２：１である。第１の画線６と第２の画線７は互いに接することなく若干離れていても良い。また、第１の画線６は二本以上の等間隔に並んだ画線で形成しても良い。また、図２に示す偽造防止印刷物Ａ２のように第１の画線６は、第２の画線７に隣接した形態としても良い。また、第１の画線６は、第２の画線７に近接（第１の画線６と第２の画線７が若干離れている）した形態としても良い。この場合は、第１の画線６と第２の画線７の画線の本数の関係は、１：１である。また、図３に示す偽造防止印刷物Ａ３のように第１の画線６は、二本の等間隔に並んだ第２の画線７に挟まれている形態としても良い。この場合は、第１の画線６と第２の画線７の本数の関係は、１：２である。第１の画線６と第２の画線７は互いに接することなく若干離れていても良い。また、第２の画線７は二本以上の等間隔に並んだ画線で形成しても良い。さらに第１の画線６と第２の画線７は、重畳（重なった状態）で形成しても良い。
【００２３】
有彩色の赤外線透過インキで印刷される第１の画線６は、シアンインキ、マゼンタインキ、イエローインキ及び特色インキの少なくとも一色で印刷することが好ましい。第１の画線６は地紋模様のベース色となるため、淡色をベースに印刷することが好ましい。なぜなら、濃色をベースに地紋印刷を印刷した場合、地紋模様上に濃色インキ等の色彩で付与されるサイン、額面及び文書等が確認し難くなる問題が生じるからである。ここでいう淡色とは、薄いシアンインキ、薄いマゼンタインキ、薄いイエローインキ及び薄い特色インキのことである。また、薄いシアンインキ、薄いマゼンタインキ、薄いイエローインキ及び薄い特色インキの少なくとも一組の混色でもかまわない。濃色とは、濃いシアンインキ、濃いマゼンタインキ、濃いイエローインキ、濃い特色インキ及び濃い墨インキのことである。本明細書内で用いる淡色インキとは、ＣＩＥＬＡＢ明度Ｌ＊が６５〜９０である場合を指し、濃色インキとはＣＩＥＬＡＢ明度Ｌ＊が３０〜６５である場合を指すこととする。
【００２４】
例えば、地紋模様上に付与されるサイン、額面及び文書等が、一般的な黒色（Ｂｋ１００％）である場合、これらの情報を確認しやすくするためには、第１の画線６はＣＩＥＬＡＢ明度Ｌ＊６５〜９０の淡色インキであることが好ましい。さらに、第１の画線６はＣＩＥＬＡＢ明度Ｌ＊８０〜９０の淡色インキであることが好ましい。デザインの都合上、濃色のインキで構成する場合には、文字等を認識しやすくするために、文字等の背景は無地又は画線色の影響が少ない、非画線領域の割合が広い画線設計にする処理が必要となる。これに対して、淡色のインキで構成する場合にはその必要性は小さく、基材全体に対して模様を施すことができる。文字等を認識しやすくするためには、淡色インキ上に付与された文字等が十分に認識できるＣＩＥＬＡＢ明度Ｌ＊８０〜９０の場合には、画線非画線面積率は、５〜５０％であることが好ましい。５％以下であると地紋模様が肉眼で視認し難い状態となり、５０％以上であると地紋模様上に付与されるサイン、額面及び文書等が確認し難くなる問題が生じる。淡色インキ上に付与された文字等が認識し難いＣＩＥＬＡＢ明度Ｌ＊６５〜８０の場合には、画線非画線面積率では、５〜２５％であることが好ましい。５％以下であると地紋模様が肉眼で視認し難い状態となり、２５％以上であると地紋模様上に付与されるサイン、額面及び文書等が確認し難くなる問題が生じる。
【００２５】
第１の画線６は、第２の画線７よりも画線幅が広い必要がある。これは、地紋模様の主体色は、第１の画線６で形成するためである。第１の画線６の画線幅が４０〜４００μｍであり、第２の画線７の画線幅が２０〜２００μｍであることが好ましい。また、第１の画線６と第２の画線７の画線幅の割合は、２：１〜１０：１程度であることが好ましい。
【００２６】
赤外線吸収インキで用いる赤外線吸収材料は、一般の赤外線表示装置で観察する場合は、７００〜１０００ｎｍ程度の波長のいずれかの波長域に吸収特性を持っていればよく、カーボンブラック、スズ化合物又はロイコ染料等を利用することができる。
【００２７】
図４に図１に示した偽造防止印刷物Ａ１を可視光下で肉眼で観察した場合を示す。第２ａの画線７ａと第２ｂの画線７ｂは同一の幅であり、第２ａの画線７ａと第２ｂの画線７ｂの境は画線切れされていることなく連続線となっている。さらに、第２ａの画線７ａはシアンインキ、マゼンタインキ及びイエローインキの混色からなる黒系色で形成され、第２ｂの画線７ｂは墨インキで形成されているため第１の領域４と第２の領域５は区分けして視認することができない。また、第１の画線６と第２の画線７の画線幅は２：１〜１０：１程度の割合であるため、第１の画線６の色彩が地紋模様２の主体色となる。例えば、第１の画線６を薄いシアン色で印刷した場合は、地紋模様は全体的に薄いシアン色に視認できる。
【００２８】
図５に偽造防止印刷物Ａ１を赤外線表示装置で観察した場合を示す。第１の画線６及び第２ａの画線７ａは赤外線透過インキで印刷されているため、赤外線表示装置では視認することはできない。第２ｂの画線７ｂは赤外線吸収インキで印刷されているため視認できる。よって、第１の画線６及び第１の領域４である背景画像部の第２ａの画線７ａは視認することはできないが、第２の領域５である潜像画像部の第２ｂの画線７ｂは確認することができる。よって、第２ｂの画線７ｂから成る潜像画像（Ｐ）が視認される。
【００２９】
図６に偽造防止印刷物Ａ１にサインを印字した場合を示す。例えば、第１の画線６を薄いシアン色で印刷した場合は、地紋模様は全体的に薄いシアン色に視認できる。地紋模様上に印刷される濃色のインキでサイン（印刷局）を付与した場合、地紋模様は薄いシアン色であるのに対して、サインは濃色であるため、明度及び彩度に大きな差があり、容易にサインを確認することができる。偽造防止印刷物Ａ２及び偽造防止印刷物Ａ３においても同様な効果が得られる。
【００３０】
本発明の偽造防止印刷物の地紋模様は、淡色をベースに印刷することが可能であるため、複写牽制模様を埋め込むには最適である。よって、特許第３３６８３２７号公報、特許第３２６８４１８号公報等に記載される定周期断絶線、分岐した画線及びそれらに類似した画線を用いることができる。また、実線、破線、点線を微小文字、特殊パターンで形成することによって、複製、複写防止効果が向上する。図７に複写防止模様を埋め込んだ例を示す。第３の領域８に複写防止画線が形成され、第３の領域８の周辺は第４の領域９となる。複写防止画線は微細に切断されている。肉眼では複写防止画線は切断されていることが視認することができず、一本の画線として判断される。この偽造防止印刷物を複写した場合に得られる複写物は、第３の領域８は再現されず、第４の領域９は再現されるため、潜像画像（Ｆ）が確認できる。このように複写防止画線を組み合わせることによって、複写牽制手段と、赤外線表示装置による潜像画像の出現の有無による真偽判別手段とを備えた偽造防止印刷物を得ることができる。
【００３１】
図１１に示す偽造防止印刷物Ａ４は、図１に示した偽造防止印刷物Ａ１の第１の画線６と、第２ａの画線７ａと、第２ｂの画線７ｂが分断されて形成された印刷物である。本発明は偽造防止印刷物Ａ４の構成であっても同様な効果を得ることができる。また、図示しないが、偽造防止印刷物Ａ２、Ａ３についても同様に画線を分断することが可能である。
【００３２】
図１２は、特殊形状の画線であり、図１２（ａ）、図１２（ｂ）及び図１２（ｃ）は、第１の画線６と第２ａの画線７ａ、第１の画線６と第２ｂの画線７ｂによって星形形状を形成している。微細な星型形状の画像を複数並べて万線形状を施しても良い。図１２（ｄ）、図１２（ｅ）及び図１２（ｆ）は、第１の画線６と第２ａの画線７ａ、第１の画線６と第２ｂの画線７ｂによって四角形状を形成している。微細な四角形状の画像を複数並べて万線形状を施しても良い。図１２（ａ）及び図１２（ｄ）は、第２ａの画線７ａ又は第２ｂの画線７ｂが、第１の画線６に隣接して形成されている。図１２（ｂ）及び図１２（ｅ）は、第２ａの画線７ａ又は第２ｂの画線７ｂが、第１の画線６に挟まれて形成されている。図１２（ｃ）及び図１２（ｆ）は、第１の画線６は、第２ａの画線７ａ又は第２ｂの画線７ｂに挟まれて形成されている。また、星形形状又は四角形状は第１の画線６、第２ａの画線７ａ及び第２ｂの画線７ｂの三種類で形成しても良い。本発明の特殊形状の画線はこれに限定されることなく、円形、多角形又は特殊形状等の色々な形状の画線が採用できる。
【００３３】
第１の画線は紫外線を照射すると発光する有色蛍光インキで印刷することによって偽造防止効果が向上する。
【００３４】
潜像画像には、図柄、絵柄、文字、記号又はバーコード等の情報を付与することができる。
【００３５】
本発明に用いる基材は、紙葉類、フィルム又はプラスチック等を利用することができる。
【００３６】
本発明に用いる印刷方法は特に限定されないが、オフセット印刷、レーザプリンタ又はインクジェットプリンタで印刷する方法が好ましい。
【００３７】
本発明に用いる赤外線表示装置は、市販されている簡易的な赤外線表示装置で十分潜像画像を視認することができる。
【実施例】
【００３８】
以下、実施例を用いて本発明を更に詳細に説明するが、本発明の内容は、これらの実施例の範囲に限定されるものではない。
【００３９】
（実施例１）
図８に本発明の偽造防止印刷物Ｂ１を示す。本実施例では、一般的なＤＴＰ用ソフトウェアであるＡｄｏｂｅ・Ｉｌｌｕｓｔｒａｔｏｒを用いて印刷用データを作成した。偽造防止印刷物Ｂ１は、用紙１に曲画線から成る地紋模様２をオフセット印刷機によってプロセスインキで印刷して得られた印刷物である。地紋模様２は、第１の領域４及び第２の領域５に分けられ、第１の領域４は背景画像部であり、第２の領域５は潜像画像部である。地紋模様２は、第１の画線６と、第２の画線７（第２ａの画線７ａと第２ｂの画線７ｂ）から成る。第１の画線６と第２の画線７は接している。第１の画線６は、プロセスマゼンタインキをベタ濃度０．５で印刷した（ＣＩＥＬＡＢ明度Ｌ＊７０）。第２ａの画線７ａは、プロセスシアンインキ（ベタ濃度０．５８）、プロセスマゼンタインキ（ベタ濃度０．６３）及びプロセスイエローインキ（ベタ濃度０．７９）の混色で印刷され、黒系の色彩となった。第２ｂの画線７ｂはプロセスブラックインキ（ベタ濃度０．５５）で印刷した。第１の画線６は、画線幅が２００μｍで形成し、第２ａの画線７ａ及び第２ｂの画線７ｂは６０μｍで形成した。
【００４０】
図９に実施例１の偽造防止印刷物Ｂ１を可視光下で肉眼で観察した場合の図を示す。第１の領域４と第２の領域５は肉眼でその違いを識別することはできなかった。図１０に実施例１の偽造防止印刷物Ｂ１を赤外線表示装置で観察した場合を示す。第２の領域５の第２ｂの画線７ｂのみが確認され、潜像画像（正）が確認できた。
【００４１】
（実施例２）
実施例１と同様な色彩でレーザプリンタで印刷し、実施例２の偽造防止印刷物を作製した。第１の画線６ＣＭＹＫカラースペースにおいて、マゼンタを６０％で指定した。第２ａの画線７ａは、シアン６０％、マゼンタ６０％及びイエロー５５％の混色で指定し、黒系の色彩となった。第２ｂの画線７ｂはブラック６５％で指定した。第１の画線６は、画線幅が２００μｍで形成し、第２ａの画線７ａ及び第２ｂの画線７ｂは６０μｍで形成した。実施例１と同様な効果が得られた。
【００４２】
（実施例３）
実施例２と同様な色彩、色指定でインクジェットプリンタで印刷し、実施例３の偽造防止印刷物を作製した。実施例１、及び実施例２と同様な効果が得られた。
【図面の簡単な説明】
【００４３】
【図１】偽造防止印刷物Ａ１を示す図である。
【図２】偽造防止印刷物Ａ２を示す図である。
【図３】偽造防止印刷物Ａ３を示す図である。
【図４】偽造防止印刷物Ａ１を可視光下で肉眼で観察した場合を示す図である。
【図５】偽造防止印刷物Ａ１を赤外線表示装置で観察した場合を示す図である。
【図６】偽造防止印刷物Ａ１に額面を印字した場合を示す図である。
【図７】偽造防止印刷物Ａ３に複写牽制模様を形成した場合の図である。
【図８】偽造防止印刷物Ｂ１を示す図である。
【図９】偽造防止印刷物Ｂ１を可視光下で肉眼で観察した場合を示す図である。
【図１０】偽造防止印刷物Ｂ１を赤外線表示装置で観察した場合を示す図である。
【図１１】偽造防止印刷物Ａ４を示す図である。
【図１２】特殊な第１の画線と、第２ａの画線及び第２ｂの画線を示す図である。
【符号の説明】
【００４４】
１          基材
２          地紋摸様
３          曲万線画線
４          第１の領域
５          第２の領域
６          第１の画線
７          第２の画線
７ａ          第２ａの画線
７ｂ          第２ｂの画線
８          第３の領域
９          第４の領域
Ａ１、Ａ２、Ａ３、Ａ４Ｂ１          偽造防止印刷物
【図１】
2008105241.tif 000003
【図２】
2008105241.tif 000004
【図３】
2008105241.tif 000005
【図４】
2008105241.tif 000006
【図５】
2008105241.tif 000007
【図６】
2008105241.tif 000008
【図７】
2008105241.tif 000009
【図８】
2008105241.tif 000010
【図９】
2008105241.tif 000011
【図１０】
2008105241.tif 000012
【図１１】
2008105241.tif 000013
【図１２】
2008105241.tif 000014